(57)【特許請求の範囲】
【請求項１】
内燃機関の共通のクランク軸に連結された各気筒の燃焼状態に関連するクランク角度間隔における回転速度を取得する回転速度情報取得手段と、
前記回転速度情報取得手段により取得される各気筒の実際の回転速度が、目標回転速度に維持されるように、取得された実際の回転速度と、目標回転速度と、を比較して、その偏差を縮小するように、該当気筒への燃料供給量を、基本燃料供給量に対してフィードバック補正値により増減補正するフィードバック補正制御手段と、
前記フィードバック補正値と、異常判定閾値と、に基づいて、内燃機関の異常の有無を判定する異常判定手段と、
を備えた内燃機関の異常判定装置であって、
前記フィードバック補正値が、前記実際の回転速度と目標回転速度の偏差と、感度定数と、に基づいて設定され、
前記フィードバック補正値がフィードバック感度変更閾値以上となったときに、前記感度定数が現在の値と異なる値に変更されると共に、前記フィードバック補正値がリセットされ、
前記異常判定手段は、前記感度定数の変更が複数回行われたことを条件に、前記フィードバック補正値と、異常判定閾値と、に基づいて、内燃機関の異常の有無を判定することを特徴とする内燃機関の異常判定装置。
【請求項２】
前記感度定数は、基準値を中心に大小交互に変更されることを特徴とする請求項１に記載の内燃機関の異常判定装置。
【請求項３】
前記異常判定閾値は、前記フィードバック感度変更閾値より大きな値であることを特徴とする請求項１又は請求項２に記載の内燃機関の異常判定装置。
【発明の詳細な説明】
【技術分野】
【０００１】
本発明は、内燃機関の異常判定装置に関する。
【背景技術】
【０００２】
従来より、内燃機関の燃料噴射状態延いては燃焼状態等を把握し、例えば最適な燃焼状態を得ることができるようにするための技術が種々提案されていると共に、近年では、例えば車載式故障診断装置（ＯＢＤ：Ｏｎ  Ｂｏａｒｄ  Ｄｉａｇｎｏｓｔｉｃｓ）等における故障診断項目の一つとして、故障や劣化による燃料噴射弁（インジェクタ）の噴射異常延いては異常燃焼状態等を検出することなどが行われている。
【０００３】
このような燃料噴射弁の燃料供給異常（噴射異常）や異常燃焼状態等を検出する技術として、本願出願人は、例えば、特許文献１において、例えばアイドル運転中などの内燃機関が所定回転速度にて運転されているときに、ある一定のクランク角度間隔（例えば３０度）進むのに要した時間（図６の時間Ａ，時間Ｂを参照）を各気筒毎に計測し、その気筒間における偏差が縮小されるようにフィードバック制御を実行し、例えば長い時間を要した気筒（図６の＃３気筒（図では、♯３と表示）を参照）に対して燃料噴射量を増量補正する（図７参照）と共に、図８に示すように、その増量補正量（フィードバック量）が所定の閾値（故障判定値）を超えた場合には、該当気筒において燃料噴射量異常や燃焼異常が発生しているとして故障検出するといった技術を提案している。
【先行技術文献】
【特許文献】
【０００４】
【特許文献１】特開２０１０−０１３９６１号公報
【発明の開示】
【発明が解決しようとする課題】
【０００５】
しかしながら、特許文献１に記載されている燃料噴射量の異常検出装置では、燃料噴射ポンプ、燃料噴射ノズル、各燃料配管の製造バラツキなどのハードウェア的な特性バラツキ、回転速度の検出応答性などを含めた燃料噴射量のフィードバック制御における制御感度、気筒間の燃焼バラツキなどによって、或いはこれらが組み合わされ、更には外乱などの相乗的な作用によって、燃料噴射量のフィードバック制御が共振してしまうおそれがあり、実際には故障などの異常が発生していない場合でも、異常であると誤検出してしまうといったおそれがある。
【０００６】
本発明は、かかる従来の実情に鑑みなされたもので、簡単かつ低コストな構成でありながら、精度良く内燃機関の燃料供給状態延いては燃焼状態の異常の有無を判定することができる内燃機関の異常判定装置を提供することを目的とする。
【課題を解決するための手段】
【０００７】
このため、本発明に係る内燃機関の異常判定装置は、図１に示すように、
内燃機関の共通のクランク軸に連結された各気筒の燃焼状態に関連するクランク角度間隔における回転速度を取得する回転速度情報取得手段と、
前記回転速度情報取得手段により取得される各気筒の実際の回転速度が、目標回転速度に維持されるように、取得された実際の回転速度と、目標回転速度と、を比較して、その偏差を縮小するように、該当気筒への燃料供給量を、基本燃料供給量に対してフィードバック補正値により増減補正するフィードバック補正制御手段と、
前記フィードバック補正値と、異常判定閾値と、に基づいて、内燃機関の異常の有無を判定する異常判定手段と、
を備えた内燃機関の異常判定装置であって、
前記フィードバック補正値が、前記実際の回転速度と目標回転速度の偏差と、感度定数と、に基づいて設定され、
前記フィードバック補正値がフィードバック感度変更閾値以上となったときに、前記感度定数が現在の値と異なる値に変更されると共に、前記フィードバック補正値がリセットされ、
前記異常判定手段は、前記感度定数の変更が複数回行われたことを条件に、前記フィードバック補正値と、異常判定閾値と、に基づいて、内燃機関の異常の有無を判定することを特徴とする。
【００１０】
本発明において、前記感度定数は、基準値を中心に大小交互に変更されることを特徴とすることができる。
【００１１】
本発明において、前記第２の閾値は、前記第１の閾値より大きな値であることを特徴とすることができる。
【発明の効果】
【００１２】
本発明によれば、簡単かつ低コストな構成でありながら、精度良く内燃機関の燃料供給状態延いては燃焼状態の異常の有無を判定することができる内燃機関の異常判定装置を提供することができる。
【図面の簡単な説明】
【００１３】
【図１】本発明に係る内燃機関の異常判定（診断）装置の構成を説明するブロック図である。
【図２】同上実施の形態に係る内燃機関の異常判定（診断）装置のシステム全体の構成を概略的に示した図である。
【図３】同上実施の形態に係る内燃機関の異常判定（診断）装置が実行する異常判定（診断）制御のフローチャートの一例である。
【図４】同上実施の形態の異常判定（診断）制御のフローチャートを実行した場合のフィードバック補正値（Σ偏差×感度定数）の変化の様子（実際に異常や故障がある場合で、感度定数が変更される場合）を示すタイムチャートの一例である。
【図５】同上実施の形態の異常判定（診断）制御のフローチャートを実行した場合のフィードバック補正値（Σ偏差×感度定数）の変化の様子（異常や故障がない正常な範囲にある場合）を示すタイムチャートの一例である。
【図６】同上実施の形態において取得される回転速度に関連する情報（ある一定のクランク角度を進むのに要する時間）を説明するためのタイムチャートである。
【図７】図６において気筒間における回転速度の偏差（バラツキ）の大きかった＃３気筒の燃料噴射量を増量して当該偏差を縮小するためのフィードバック制御による回転速度の偏差の変化の様子を説明するためのタイムチャートである。
【図８】図６において気筒間における回転速度の偏差（バラツキ）の大きかった＃３気筒の燃料噴射量を増量して当該偏差を縮小するためのフィードバック制御を実行したことによるフィードバック補正値或いは補正量（燃料増量）の増加の様子と、フィードバック補正値或いは補正量（燃料増量）と故障判定値との比較の様子を説明するためのタイムチャートである。
【発明を実施するための形態】
【００１４】
以下、本発明に係る一実施の形態を、添付の図面を参照しつつ説明する。なお、以下で説明する実施の形態により、本発明が限定されるものではない。
【００１５】
本発明の一実施の形態に係る内燃機関の異常判定装置の概略的な全体構成を、図２に基づいて説明する。
【００１６】
図２に示すように、本発明の一実施の形態に係る内燃機関の異常判定装置の異常判定の対象となる内燃機関（エンジン）１としては、例えばディーゼル燃焼機関等とすることができる。本実施の形態の内燃機関（エンジン）１には、各気筒（図２では、♯１〜♯４の直列式４気筒の内燃機関を例示しているが、他の複数気筒の燃焼機関に適用可能である）の燃焼室２に臨んで燃料噴射弁３（例えば、電磁弁により開閉駆動されるユニットインジェクタ）が配設されている。但し、ユニットインジェクタ等の燃料噴射弁３に限定されるものではなく、他の方式による燃料供給装置を用いることもできる。
【００１７】
各燃料噴射弁３は、エンジン制御ユニット（ＥＣＵ：Ｅｎｇｉｎｅ  Ｃｏｎｔｒｏｌ  Ｕｎｉｔ）１０からの制御信号に基づいて、運転状態（アクセル踏込量、内燃機関１の回転速度など）に応じて設定される燃料供給量が当該燃料噴射弁３から噴射供給されるように、開弁時期、開弁期間などが制御され、図示しない燃料ポンプ延いてはコモンレール（図示せず）から所定圧力で給送される燃料を、所定のタイミングで、所定の噴射量、噴射期間、噴射率等をもって、対応する気筒の燃焼室２に噴射供給するようになっている。
【００１８】
また、内燃機関１のピストン４の往復直線運動を回転運動に変換するためのクランク軸５に一体的に回転連結された回転パルサー６が取り付けられており、当該回転パルサー６の外周には、例えば６度（ｄｅｇｒｅｅ）毎に凹凸歯が形成されている。
【００１９】
この一方、前記回転パルサー６の凹凸歯に対向して電磁式の回転センサ（ピックアップセンサ）７が配設されており、前記回転パルサー６がクランク軸５と伴に回転されて前記凹凸歯が回転センサ７を通過する際の電磁誘導によって回転センサ７から、ＥＣＵ１０に対してクランク角度信号（回転信号）が出力されるようになっている。但し、当該構成に限定されるものではなく、ホール素子やホトトランジスタ等を用いた他のクランク角度信号生成装置を用いることもできる。
【００２０】
そして、ＥＣＵ１０では、当該クランク角度信号や内蔵タイマーの計時結果等に基づいて、内燃機関１の回転速度（所定時間当たりの回転数）等を取得することができるようになっている。
【００２１】
また、本実施の形態では、例えば、クランク軸延いては回転パルサー６の１回転（所定の気筒の圧縮上死点位置など）を検出するための突起及びピックアップを設けたり、或いは前記回転パルサー６の凹凸歯の一部を欠歯しておくことで、ＥＣＵ１０では、クランク軸延いては回転パルサー６の１回転（所定の気筒の圧縮上死点（ＴＤＣ）など）を検出することができるようになっている。
【００２２】
このように所定の気筒の圧縮上死点が検出できれば、ＥＣＵ１０では、前記回転パルサー６及び回転センサ７により取得される所定角度（例えば６度）毎のクランク角度信号に基づいて、所定クランク角度（例えば４気筒の場合は、１８０度）毎の燃焼順序（例えば、第１気筒（♯１）→第３気筒（♯３）→第４気筒（♯４）→第２気筒（♯２）→第１気筒（♯１））に応じた各気筒の圧縮上死点を取得することができる。
【００２３】
ここにおいて、本実施の形態におけるＥＣＵ１０では、内燃機関１がアイドル運転を行っている場合に、内燃機関１の実際の回転速度が、目標アイドル回転速度に維持されるように、取得された回転速度と、目標アイドル回転速度と、を比較して、その偏差を縮小するように、燃料噴射弁３から噴射供給される燃料噴射量を基本燃料噴射量に対して増減補正する所謂フィードバック制御（アイドル回転フィードバック制御）を行うようになっている。なお、基本燃料噴射量は、内燃機関１の回転速度、負荷、機関温度などに基づいて予め定められた燃料噴射量である。
【００２４】
ここで、本願出願人等は、図６、図７、図８に示したように、例えばアイドル運転中などの内燃機関が所定回転速度にて運転されているときに、ある一定のクランク角度間隔（例えば３０度）進むのに要した時間（図６の時間Ａ，時間Ｂを参照）を各気筒毎に計測し、その気筒間における偏差が縮小されるようにフィードバック制御を実行し、例えば長い時間を要した気筒（図７の＃３気筒を参照）に対して燃料噴射量を増量補正すると共に、図８に示すように、その増量補正量（フィードバック補正量）が所定の閾値（故障判定値）を超えた場合には、該当気筒において燃料噴射量異常や燃焼異常が発生しているとして故障検出するといった技術を特許文献１において提案している。
【００２５】
しかしながら、かかる従来の燃料噴射量の異常検出方法では、燃料噴射ポンプ、燃料噴射ノズル、各燃料配管の製造バラツキなどのハードウェア的な特性バラツキ、回転速度の検出応答性などを含めた燃料噴射量の制御感度、気筒間の燃焼バラツキなどによって、或いはこれらが組み合わされ、更には外乱などの相乗的な作用によって、燃料噴射量のフィードバック制御が共振してしまうおそれがあり、そのような場合には、実際には故障などの異常が発生していない場合であっても、異常であると誤検出してしまうといったおそれがある。
【００２６】
このため、本実施の形態に係るＥＣＵ１０では、以下のようにして、より精度良く、燃料噴射弁３延いては内燃機関１の異常の有無を判定することができるように、図３のフローチャートを実行する。ここにおいて、以下で述べるＥＣＵ１０において実行される図３のフローチャートによる処理が、本発明に係る内燃機関の異常判定装置における回転速度情報取得手段、フィードバック補正制御手段、異常判定手段として機能するものである。
【００２７】
すなわち、ＥＣＵ１０では、図３のフローチャートに示したように、
ステップ（図では、Ｓと記す）１において、内燃機１が故障判定許可可能な運転状態であるか否かを判断する。ＹＥＳであれば、ステップ２へ進み、ＮＯであればステップ１へ戻る。ここで、故障判定許可可能な運転状態とは、内燃機関１が所定の定常運転状態である場合が含まれ、より具体的には、例えば内燃機関１がアイドル運転中でアイドル回転フィードバック制御などが実行され略一定の回転速度で運転されているような運転状態が一例として挙げられる。
【００２８】
ステップ２では、ある一定のクランク角度間隔（例えば３０度）を進むのに要した時間（図６の時間Ａ，時間Ｂなどを参照。本発明に係る回転速度に関連する情報に相当。）を各気筒毎に計測し、気筒間における偏差を算出し、気筒毎に取得された偏差が異常領域にあるか否かを判断する。なお、ある一定のクランク角度間隔は、燃料供給状態や燃焼状態の気筒間におけるバラツキの影響が現れやすい膨張行程を含むことが好ましく、これにより診断精度を高めることができる。
【００２９】
ＹＥＳの場合で、気筒毎に取得された偏差が異常領域にある場合には、気筒間における燃焼変動が所定以上に大きく、内燃機関１に何らかの異常が生じていると判断して、ステップ３へ進む。
【００３０】
ステップ３では、異常処理を実行して本フローを終了する。異常処理としては、例えば、警告灯や警告音を発して、異常がある旨を運転者等に報知して修理等の処置を促すと共に、異常レベルに応じて、内燃機関１に重大な損傷が生じるおそれがある場合は内燃機関１の運転を停止したり、自走を許可可能な異常レベルの場合には損傷等が大きくならない程度に内燃機関１の出力を抑制して近隣のサービス工場までの走行を許可するなどの処理を行うことができる。
【００３１】
この一方、ステップ２にて、気筒毎に取得された偏差が異常領域にないと判断された場合には、ステップ４へ進む。
【００３２】
ステップ４では、ステップ２にて取得したある一定のクランク角度間隔（例えば３０度）進むのに要した時間の気筒毎の偏差が縮小されるようにフィードバック制御を実行する。ステップ４が、本発明に係るフィードバック補正制御手段に相当する。
例えば、直前燃焼気筒におけるある一定のクランク角度間隔に要した時間と、今回データを取得した燃焼気筒おけるある一定のクランク角度間隔に要した時間と、の偏差が縮小されるように、次回の該当気筒の燃料噴射量（燃料供給量）を補正する。
具体的には、図６、図７などに示したように、直前燃焼気筒に対して、今回データを取得した燃焼気筒の方が、ある一定のクランク角度間隔進むのに長い時間を要した場合に、該当気筒に関し、次回の目標燃料噴射量を前回の燃料噴射量に対して増量補正する。
【００３３】
すなわち、例えば、以下の式に従って、次回の目標燃料噴射量（燃料供給量）を設定することができる。
次回の目標燃料噴射量＝基本燃料噴射量×（１．０＋Σ（［時間偏差（+Δ）］×［感度定数（Ｎ）］））
基本燃料噴射量は、内燃機関１の回転速度や負荷などの運転状態に応じて設定される燃料噴射量で、アイドル回転フィードバック制御が実行されている場合には、そのフィードバック補正量が考慮された燃料噴射量となる。
Σ（［時間偏差（+Δ）］×［感度定数（Ｎ）］）は、後述するＮが変更されない間において、ステップ４を通過する度に設定される［時間偏差（+Δ）］×［感度定数（Ｎ）］を合計した値（本発明に係るフィードバック補正値に相当する）である。
なお、［時間偏差（+Δ）］は、本発明に係る「回転速度情報の気筒間における偏差」に相当している。
【００３４】
このようにして、本実施の形態では、ステップ２にて取得したある一定のクランク角度間隔（例えば３０度）進むのに要した時間の気筒毎の偏差が縮小されるように各気筒に対して燃料噴射量のフィードバック制御が実行される（図４のＡを参照）。
【００３５】
続くステップ５では、次回の目標燃料噴射量における補正噴射量（基本燃料噴射量×Σ（［時間偏差（+Δ）］×［感度定数（Ｎ）］）が正常領域にあるか否かを判断する。
すなわち、Σ［時間偏差（+Δ）］×［感度定数（Ｎ）］の値（フィードバック補正値）が、第１の閾値（フィードバック感度変更閾値）と比較して正常領域にあるか否かを判断する。
第１の閾値の範囲内に収まっており正常領域ある場合には、Σ［時間偏差（+Δ）］×［感度定数（Ｎ）］の値を保持したまま、ステップ１へリターンする。
【００３６】
一方、第１の閾値の範囲から外れて正常領域にない場合には、製品誤差等のレベルを越えて気筒間の燃焼変動バラツキが大きく、該当する気筒に何らかの異常が生じているおそれがあると判断して、ステップ６へ進む。
【００３７】
ステップ６では、ステップ５での判定繰り返し回数（Ｎ）が、最大値以下であるか否かを判断し、ＹＥＳの場合はステップ７へ進み、ＮＯの場合はステップ８へ進む。
【００３８】
ステップ７では、判定繰り返し回数（Ｎ）を１加算（インクリメント）すると共に、Ｎの大きさに応じて感度定数（図４のＡ，Ｂなどの傾きに相当）を変更し、更に、Σ［時間偏差（+Δ）］×［感度定数（Ｎ）］の値をリセットする。
【００３９】
すなわち、例えば、
Ｎ＝１の場合は、感度定数（１）＝１．１０（１０％増量）（本発明に係る基準値に相当）とし、
Ｎ＝２（＝１＋１）の場合は、感度定数（２）＝１．０５（５％増量）とし、
Ｎ＝３（＝２＋１）の場合は、感度定数（３）＝１．１５（１５％増量）とし、
Ｎ＝４（＝３＋１）の場合は、感度定数（４）＝１．１０（１０％増量）とするなど、Ｎの大きさに応じて、感度定数（増量分）が変更されるようになっている（図４のＡ，Ｂなどの傾きを参照）。なお、感度定数は、Ｎの大きさに応じて、例えば１０％増量（本発明に係る基準値に相当）を中心として大小交互に変動するように変更する構成とすることができる。このあと、ステップ１へリターンする。
【００４０】
一方、ステップ８は、判定繰り返し回数（Ｎ）が最大値を超えた場合であるので、感度変更を行った後においても、目標燃料噴射量における補正量（Σ［時間偏差（+Δ）］×［感度定数（Ｎ）］の値）が正常領域を外れている場合であるので、補正量（Σ［時間偏差（+Δ）］×［感度定数（Ｎ）］の値）と第２の閾値（故障（異常）判定閾値）とを比較して故障領域（異常領域）にあるか否かを判断する。なお、第２の閾値＞第１の閾値とすることができ、これにより、真に異常が発生している場合において、フィードバック制御の共振に起因する誤診断を抑制しながら異常（故障）診断の診断処理のために内燃機関１への損傷等が大きくなることを効果的に抑制することが可能となっている。
ＹＥＳであれば、内燃機関１には何らかの異常があるとして、Ｓ９にて異常処理を行って、本フローを終了する。
【００４１】
なお、異常処理としては、例えば、警告灯や警告音を発して、異常がある旨を運転者等に報知して修理等の処置を促すと共に、異常レベルに応じて、内燃機関１に重大な損傷が生じるおそれがある場合は内燃機関１の運転を停止したり、自走を許可可能な異常レベルの場合には損傷等が大きくならない程度に内燃機関１の出力を抑制して近隣のサービス工場までの走行を許可するなどの処理を行うことができる。
【００４２】
ステップ８にて、ＮＯと判定された場合は、ステップ１へリターンして上記フローチャートを繰り返す。
【００４３】
このように、本実施の形態では、ある所定期間における気筒間の回転偏差を縮小するように燃料噴射量を各気筒毎にフィードバック制御し、そのフィードバック補正量と閾値とを比較することで特定気筒の異常（故障）診断をするものにおいて、燃料噴射量のフィードバック補正の感度変更（増量度合い、すなわち図４に示すような積分増量分の傾きの変更）を行った後においても、目標燃料噴射量の増量補正（Σ［時間偏差（+Δ）］×［感度定数（Ｎ）］、フィードバック補正値）が所定以上に大きくなった場合に、故障領域（異常領域）にあると判断するようにしたので、従来のような燃料噴射量のフィードバック制御の共振等に起因する誤診断の発生を抑制することができ、精度良く燃料噴射系の部品等に故障（異常）等が生じていると判断することができる。
【００４４】
すなわち、従来のように、所定期間における気筒間の回転偏差を縮小するように燃料噴射量を各気筒毎にフィードバック制御し、単純に、そのフィードバック補正量と閾値とを比較することで特定気筒の異常（故障）診断をするものでは、燃料噴射ポンプ、燃料噴射ノズル、各燃料配管の製造バラツキなどのハードウェア的な特性バラツキ、回転速度の検出応答性などを含めた燃料噴射量の制御感度、気筒間の燃焼バラツキなどによって、或いはこれらが組み合わされ、更には外乱などの相乗的な作用によって、燃料噴射量のフィードバック制御が共振してしまうおそれがあり、このような場合には異常が無くても異常であると誤診断してしまうおそれがある。
【００４５】
一方で、かかる共振の発生による誤診断は、回転偏差を縮小するための燃料噴射量のフィードバック制御の感度（積分増量分の大きさ）を変更することで回避することができる可能性が高いため、本実施の形態では、燃料噴射量のフィードバック制御の感度を複数の度合いに変更し、それでもなお目標燃料噴射量の補正量（Σ［時間偏差（+Δ）］×［感度定数（Ｎ）］、フィードバック補正値）が所定以上に大きくなった場合は、燃料噴射量のフィードバック制御の共振等が原因ではなく、真に燃料噴射系の部品等に故障（異常）が生じている可能性が高いとして異常（故障）であると診断するようにしたものである。
【００４６】
このような構成の本実施の形態によれば、簡単かつ低コストな構成でありながら、精度良く内燃機関の燃料供給状態延いては燃焼状態の異常の有無を判定することができる内燃機関の異常判定装置を提供することができる。
【００４７】
なお、本実施の形態では、時間偏差（+Δ）を、直前燃焼気筒に対して、今回データを取得した燃焼気筒の方が、ある一定のクランク角度間隔進むのに長い時間を要した場合を代表して説明したが、これに限定されるものではなく、例えば、直前燃焼気筒に対して、今回データを取得した燃焼気筒の方が、ある一定のクランク角度間隔進むのに短い時間を要した場合の時間偏差（-Δ）により、該当気筒に関して前回の燃料噴射量に対して次回の目標燃料噴射量を減量補正するといった構成とすることも可能である。
また、直前気筒に対してその時間偏差が±Δとなる場合に、該当気筒に関し前回の燃料噴射量に対して次回の目標燃料噴射量を増量補正或いは減量補正するといった構成とすることも可能である。
【００４８】
なお、本実施の形態に係る内燃機関の異常判定装置は、ＥＣＵ１０、回転パルサー６、回転センサ７といった従来の内燃機関に一般的に備えられているデバイスだけで構成することができ、別途新たなデバイスが不要であるという利点がある。
【００４９】
また、本実施の形態において、内燃機関１は、例えばディーゼル燃焼を行うディーゼルエンジンとすることができるが、これに限定されるものではなく、ガソリンその他の物質を燃料とする内燃機関とすることができ、更に移動式・定置式の内燃機関とすることができる。
【００５０】
以上で説明した実施の形態は、本発明を説明するための例示に過ぎず、本発明の要旨を逸脱しない範囲内において、種々変更を加え得ることは可能である。
【符号の説明】
【００５１】
１    内燃機関（エンジン）
２    燃焼室
３    燃料噴射弁
４    ピストン
５    クランク軸
６    回転パルサー
７    回転センサ
１０  ＥＣＵ（Ｅｎｇｉｎｅ  Ｃｏｎｔｒｏｌ  Ｕｎｉｔ）
【図１】
0005905726.tif 000002
【図２】
0005905726.tif 000003
【図３】
0005905726.tif 000004
【図４】
0005905726.tif 000005
【図５】
0005905726.tif 000006
【図６】
0005905726.tif 000007
【図７】
0005905726.tif 000008
【図８】
0005905726.tif 000009